(57)【要約】【課題】動画像の記録中に静止画像を記録する場合に、撮影者が記録中の動画像或いは記録する静止画像を十分に確認できるようにする。【解決手段】表示部１１７に記録中の動画像を表示しながら、静止画像の記録の指示をした場合に、被写体検出手段で検出した被写体（３０１、３０２）の動きに応じて、表示部１１７における動画像または静止画像の表示を切り替える。詳しくは、被写体の動きが所定の閾値よりも大きいと判断した場合に動画像の表示を継続し（図３（ｃ））、被写体の動きが所定の閾値以下と判断した場合は静止画像として記録するフリーズ画像の表示をする（図３（ｂ），（ｄ））。【選択図】図３
2010258531.tif 000002
【特許請求の範囲】
【請求項１】
画像を取得する撮像手段と、
前記撮像手段で取得した画像を基に、動画像または静止画像を表示する表示手段と、
前記撮像手段で取得した画像において被写体を検出する被写体検出手段と、
前記撮像手段で取得した画像を基に動画像を記録している際に、静止画像の記録を指示する記録指示手段と、
前記記録指示手段の指示があった場合に、前記被写体検出手段で検出した被写体の状態に応じて、前記表示手段における動画像または静止画像の表示を切り替える表示制御手段と、を有することを特徴とする画像処理装置。
【請求項２】
前記撮像手段で取得した画像を基に動画像を記録している際、前記記録指示手段の指示がある前は、前記表示手段では記録中の動画像を表示していることを特徴とする請求項１に記載の画像処理装置。
【請求項３】
前記表示制御手段は、前記表示手段において前記静止画像を表示した際、前記被写体検出手段の検出結果を基に、前記静止画像において前記動画像における被写体の位置を特定するための表示を行うことを特徴とする請求項１又は２に記載の画像処理装置。
【請求項４】
前記表示制御手段は、前記表示手段において前記動画像を表示した際、前記被写体検出手段の検出結果を基に、前記動画像において前記静止画像における被写体の位置を特定するための表示を行うことを特徴とする請求項１又は２に記載の画像処理装置。
【請求項５】
前記被写体の状態とは、前記被写体検出手段で検出される被写体の動きであることを特徴とする請求項１〜４のいずれか１項に記載の画像処理装置。
【請求項６】
前記表示制御手段は、前記被写体の動きが所定の閾値よりも大きいと判断した場合に前記動画像を表示することを特徴とする請求項５に記載の画像処理装置。
【請求項７】
前記被写体の状態とは、前記撮像手段で取得した画像の画角における前記被写体検出手段で検出される被写体の位置であることを特徴とする請求項１〜４のいずれか１項に記載の画像処理装置。
【請求項８】
前記表示制御手段は、前記撮像手段で取得した画像の画角における端部側の所定の領域に前記被写体が位置する場合に前記動画像を表示することを特徴とする請求項７に記載の画像処理装置。
【請求項９】
前記被写体の状態とは、前記被写体検出手段で検出される被写体の信頼度であることを特徴とする請求項１〜４のいずれか１項に記載の画像処理装置。
【請求項１０】
前記表示制御手段は、前記被写体の信頼度が所定の閾値よりも大きいと判断した場合に前記動画像を表示することを特徴とする請求項９に記載の画像処理装置。
【請求項１１】
画像を取得する撮像ステップと、
前記撮像ステップで取得した画像を基に、動画像または静止画像を表示する表示ステップと、
前記撮像ステップで取得した画像において被写体を検出する被写体検出ステップと、
前記撮像ステップで取得した画像を基に動画像を記録している際に、静止画像の記録を指示する記録指示ステップと、
前記記録指示ステップで指示があった場合に、前記被写体検出ステップで検出した被写体の状態に応じて、前記表示ステップにおける動画像または静止画像の表示を切り替える表示制御ステップと、を有することを特徴とする画像処理方法。
【請求項１２】
画像処理装置による画像処理をコンピュータに実行させるためのプログラムであって、
画像を取得する撮像ステップと、
前記撮像ステップで取得した画像を基に、動画像または静止画像を表示する表示ステップと、
前記撮像ステップで取得した画像において被写体を検出する被写体検出ステップと、
前記撮像ステップで取得した画像を基に動画像を記録している際に、静止画像の記録を指示する記録指示ステップと、
前記記録指示ステップで指示があった場合に、前記被写体検出ステップで検出した被写体の状態に応じて、前記表示ステップにおける動画像または静止画像の表示を切り替える表示制御ステップと、をコンピュータに実行させることを特徴とするプログラム。
【発明の詳細な説明】
【技術分野】
【０００１】
本発明は、画像処理装置等に関し、特に、動画像記録中に静止画像を記録する場合の、記録中の動画像或いは記録する静止画像を表示するための技術に関するものである。
【背景技術】
【０００２】
特許文献１には、動画像撮影中に静止画像撮影（スナップショット等）を行う場合に撮影画像をディスプレイ等の表示手段に表示する際、現在撮影中の動画像とスナップショットとして記録したい静止画像とを平行表示させることが開示されている。そして、表示された静止画像を数秒間表示し、所定の時間が経過すると動画像のみの表示に切り替えることが開示されている。この技術では、静止画像が動画像と平行して表示されている数秒間の間に、撮影者が所望のスナップショットを撮影することができたか否かをディスプレイ上で確認することができるようにしている。
【先行技術文献】
【特許文献】
【０００３】
【特許文献１】特開２００１−３３３３０１号公報
【発明の概要】
【発明が解決しようとする課題】
【０００４】
デジタルカメラ、デジタルビデオカメラのような撮像装置では、動画像と静止画像を同時に撮影可能（記録可能）なものがある。このような撮像装置を用いて動画像の撮影中に静止画像を撮影し、撮影した静止画像を確認する場合、特許文献１のように動画像と静止画像を平行表示させると、撮像装置の表示画面が小さい場合は、撮影者は画像を見づらく詳細まで認識できない。
【０００５】
また、特許文献１に記載の技術では、同時に動画像と静止画像とを平行して表示するため、例えば、静止画像を表示している位置に動画像の表示が隠れてしまう場合がある。また、撮影者は２画像同時に見るために撮影に集中できず、特に動きのある動画像を撮影している場合は、撮影者は被写体に追従することができず、フレームアウトしてしまう可能性がある。
【０００６】
本発明は係る実情に鑑みてなされたものであり、動画像の記録中に静止画像を記録する場合に、撮影者が記録中の動画像或いは記録する静止画像を十分に確認できるようにする画像処理装置等の提供を目的とする。
【課題を解決するための手段】
【０００７】
本発明の画像処理装置は、画像を取得する撮像手段と、前記撮像手段で取得した画像を基に、動画像または静止画像を表示する表示手段と、前記撮像手段で取得した画像において被写体を検出する被写体検出手段と、前記撮像手段で取得した画像を基に動画像を記録している際に、静止画像の記録を指示する記録指示手段と、前記記録指示手段の指示があった場合に、前記被写体検出手段で検出した被写体の状態に応じて、前記表示手段における動画像または静止画像の表示を切り替える表示制御手段と、を有することを特徴とする。
【発明の効果】
【０００８】
本発明によれば、動画像記録中に静止画像を記録する場合に、意図した静止画像が撮影できているか否かを動画像の記録中に簡易に判断できるとともに、記録中の動画像における被写体を見逃す機会も減殺できる。
【図面の簡単な説明】
【０００９】
【図１】本発明の実施の形態に係る撮像装置の構成を示す図である。
【図２】動画像記録中の静止画像の記録における静止画像の記録についての問題を説明する図である。
【図３】本発明の第１の実施の形態に係る画像の表示処理を説明する図である。
【図４】本発明の第２の実施の形態に係る画像の表示処理を説明する図である。
【図５】本発明の第３の実施の形態に係る画像の表示処理を説明する図である。
【図６】本発明の第４の実施の形態に係る画像の表示処理を説明する図である。
【発明を実施するための形態】
【００１０】
＜第１の実施の形態＞
本発明の第１の実施の形態について説明する。図１は、本実施の形態に係るデジタルカメラ、デジタルビデオカメラ等の撮像装置（画像処理装置）の構成図である。
【００１１】
図１において、１０１はフォーカスレンズであり、１０２はＣＣＤやＣＭＯＳセンサ等の固体撮像素子であり、１０３は固体撮像素子１０２から読み出された信号をディジタル信号に変換するＡ／Ｄ変換部である。１０４はカメラ信号処理部であり、ディジタル信号に変換された固体撮像素子１０２からの信号を処理し、動画像または静止画像に係る画像データを生成する。
【００１２】
１０５はＩＰ変換部であり、画像データを高精細な静止画像生成のためにインターレースからプログレッシブに変換する。１０６は画像データを動画像記録の画角にするための動画リサイズ部であり、１０７は動画リサイズ部１０６にてリサイズした画像データに対するＮＲ（Noise Reduction）処理部である。
【００１３】
１０８は動画像の画角にリサイズされた画像データを符号化する動画符号化部であり、１０９は映像信号と音声情報入力手段であるマイクロフォン（不図示）からの音声情報信号を記録のためのフォーマットに変換する記録信号処理部である。記録信号処理部１０９は、音声データを復号処理し音声信号としてスピーカー（不図示）に送る機能も有する。１１０は映像情報（動画像、静止画像）、音声情報を記録する記録媒体である。
【００１４】
１１１はＳＤＲＡ等のメインメモリであり、各信号処理部と符号化手段等の機能ブロックにて処理されたデータを一旦格納する。図１に示す各機能ブロックは、メインメモリ１１１をシェアして使用しており、メインメモリ１１１を介して信号処理データ、画像データの受け渡しを行っている。
【００１５】
１１２は被写体検出リサイズ処理部であり、カメラ信号処理部１０４で処理された画像データを被写体検出処理できるような画角にリサイズする。１１３は被写体検出リサイズ処理部１１２にてリサイズされた画像データにおいて被写体を検出する被写体検出部である。１１４は評価値比較部であり、画像データにおける被写体を検出する被写体検出部１１３にて被写体を検出する際に算出される種々の検出評価値を比較するものである。
【００１６】
１１５はＪＰＥＧ等の符号化処理を行う静止画符号化部であり、１１６はＪＰＥＧ等の静止画符号化部１１５にて符号化された静止画像データを格納するＳＤカード等の静止画記録部（Ｃａｒｄ）である。１１７は撮影している被写体を表示する液晶パネル等の表示部であり、１１８はここで示した各機能ブロックを制御し、撮像装置全体を制御するシステム制御部である。１１９は撮影者が動画像、静止画像撮影の際に用いる操作部であり、システム制御部１１８に対して静止画トリガ、動画トリガの信号（記録指示）を出力する。システム制御部１１８は、静止画トリガ、動画トリガを出力された際は、それに応じた撮影或いは記録の処理を実行する。なお、撮影は、固体撮像素子１０２で撮像した信号を取得し、動画像または静止画像として表示または記録可能な状態とすることを意味する。
【００１７】
このような本実施の形態に係る撮像装置において静止画像を撮影或いは記録する際、撮影者は、表示部１１７に表示される被写体を見て撮影或いは記録する。ここで本実施の形態に係る撮像装置では、動画像の記録と同時に静止画像の記録をすることが可能となっている。このように動画像の記録と同時に静止画像の記録をする場合、撮影者は表示部１１７に表示される被写体を見て、静止画像撮影のキャプチャ（取り込み）のタイミングを計り、静止画像トリガ操作を行う。静止画像トリガ操作が行われると、固体撮像素子１０２は、動画像よりも読み出す画素数が多くなるように駆動方法をインターレースからプログレッシブに切り替え、読み出した信号を静止画像として記録する。固体撮像素子１０２は静止画像の信号を出力すると、すぐに駆動方法をインターレースに戻し、動画像の読み出しに切り替える。静止画像撮影の間はインターレースによる動画像の読み出しができないため、動画像の信号が一時的に欠落することになるが、この欠落した箇所にプログレッシブで読み出した静止画像を間引いた画像を補填することで、動画像を切らさずに撮影することができる。
【００１８】
このように動画像記録中に静止画像記録を行う態様では、撮影者は、実際に意図したタイミングで静止画像として記録されているのか分からず、意図した静止画像がキャプチャされていない可能性がある。図２を用いてその一例を説明する。図２は、動画像記録中の静止画像の記録における静止画像の記録についての問題を説明する図である。
【００１９】
図２において、撮影者は、動画像記録中に表示部１１７に表示されている図２（ａ）に示す動画像を見て、静止画像として記録したい画像のキャプチャのタイミングを計り、静止画トリガ操作を行う。しかし、静止画トリガ操作の遅延或いは表示部１１７に撮影している動画像を表示するまでの遅延等により、実際には図２（ｂ）に示す動画像のシーンが静止画像として、撮影或いは記録されてしまう場合がある。
【００２０】
なお、図２においては動画像を撮影しつつ記録を行っているため静止画トリガ操作後、表示部１１７には、図２（ｂ）→（ｃ）→（ｄ）の順に、継続して撮影している動画像としての被写体が表示される。また、図２において、２０１、２０２は被写体検出枠であり、被写体検出部１１３により検出された撮影している被写体に対する被写体検出枠である（本実施の形態では、その一例として被写体検出により、顔部を検出し、該顔部に枠表示を施している）。
【００２１】
上記のように撮影を行い、撮影者が撮影終了後に静止画記録部に記録されている静止画像を再生し確認して、意図した静止画像が記録されていないことに気付いた場合、記録媒体１１０に記録した動画像から所望の静止画像をリカバリ（再生成）できる。しかし、この場合は、インターレースで読み出された動画像のうちの１フレームを静止画像として記録することになるため、高精細な静止画像を得ることができない。
【００２２】
以上のような状況を回避するための方法を次に説明する。図３は、動画像記録と同時に静止画像を記録する場合において、表示部１１７に撮影画像を表示する表示制御の一手法を説明するための図である。
【００２３】
撮影者は、動画像記録中、表示部１１７に表示されている図３（ａ）の動画像を見て、静止画像として記録したい画像のキャプチャのタイミングを計り、静止画トリガ操作を行う。しかし、静止画トリガ操作の遅延或いは表示部１１７に撮影している動画像を表示するまでの遅延等により、撮影者が意図した静止画像がキャプチャできていない場合があることは上述の通りである。
【００２４】
そして、このように動画像記録中に静止画像記録を行う態様において、撮影者が撮影中に意図した静止画像が撮影できているか否かを確認するための手法として図３（ｂ）に示す画像をフリーズ画像として表示部１１７に表示する手法がある。
【００２５】
このようなフリーズ画像を表示すれば、撮影者が意図した静止画像がキャプチャできたか否かを確認はできる。しかし、例えば被写体の動きが大きい場合は、静止画像としてキャプチャした画像をフリーズ画像として表示部１１７に表示した後、動画像の表示に切り替えた場合、図３（ｃ）に示すように被写体が画角の外に移動してしまっている可能性がある。すなわち、撮影者がフリーズ画像に目を取られ、被写体の動きに気付かない場合は、本来メインに撮影すべき動画像の被写体を撮影或いは記録できなくなってしまうことがある。
【００２６】
そこで、本実施の形態では、動画像撮影或いは記録している被写体の動きに応じて、表示部１１７に表示する画像（動画像または静止画像）を適応的に切り替える表示制御を行うことにより、上述したような問題を解消する。以下、図３を用いて本実施の形態に係る画像の表示処理を説明する。図３において、３０１、３０２は被写体検出枠であり、被写体検出部１１３により、フレーム毎に検出された撮影している被写体に対する被写体検出枠である。
【００２７】
具体的には本実施の形態では、被写体検出枠３０１、３０２の座標（本実施形態では被写体の顔部）を評価値比較部１１４にて比較し、該座標の差分値（移動量）が閾値Ｔｈより大きい場合、被写体の動きが大きいと判断する。そして被写体の動きが大きいと判断した場合、静止画トリガ操作を行った場合でも、フリーズ画像ではなく、継続して、動画像撮影している動画像を表示部１１７に表示し続ける（図３（ｃ））。一方、座標の差分値（移動量）が閾値Ｔｈ以下である場合は、被写体の動きが小さいと判断し、静止画トリガ操作を行った場合に、図３（ｂ）、図３（ｄ）に示す流れでフリーズ画像を表示部１１７に表示する。
【００２８】
以上のように本実施の形態に係る撮像装置では、撮影している画像における被写体検出部１１３により検出される被写体の動きに応じて、適応的に動画像を表示するか記録する静止画像に対応するフリーズ画像を表示するかを切り替える。これにより、動画像と静止画像の記録状態の確認を撮影中に両立させている。このような構成においては、撮影者は、記録中の動画像或いは記録する静止画像を、意識を撮影に集中しつつ十分に確認できる。つまり、フリーズ画像は表示部１１７の全面に表示されるため意図した静止画像が撮影できているか否かを動画像の記録中に簡易に判断でき、動きが大きい場合は動画像撮影している被写体の動きを把握できるため動画像における被写体を見逃す機会も減殺できる。
【００２９】
＜第２の実施の形態＞
次に、本発明の第２の実施の形態について説明する。図４は、本実施の形態に係る画像の表示処理を説明する図である。なお、当該撮像装置に構成は、第１の実施の形態で説明した構成と同様であるため説明は割愛する。
【００３０】
撮影者は、図４（ａ）の動画像を見て、静止画像として記録したいタイミングを計り、静止画トリガ操作を行う。図４（ａ）において４０１、４０２は被写体検出枠であり、被写体検出部１１３により、フレーム毎に検出された撮影している被写体に対する被写体検出枠である。本実施の形態においても第１の実施の形態と同様に、被写体検出枠４０１、４０２の座標（本実施形態では、被写体の顔部）を評価値比較部１１４にて比較し、該座標の差分値（移動量）が閾値Ｔｈより大きい場合、被写体の動きが大きいと判断する。そして被写体の動きが大きいと判断した場合は、静止画トリガ操作を行った場合でも、図４（ｃ）のようにフリーズ画ではなく、継続して、動画像記録している動画像を表示部１１７に表示し続ける。また、座標の差分値（移動量）が閾値Ｔｈ以下である場合は、被写体の動きが小さいと判断し、静止画トリガ操作を行った場合に、図４（ｂ）に示すようなフリーズ画像を表示部１１７に表示する。
【００３１】
ここで本実施の形態では、被写体の動きが大きいと判断した場合の動画像表示中に、図４（ｃ）に示すように動画像において、静止画像としてキャプチャした被写体（本実施形態では被写体の顔）に対する被写体検出枠（点線枠４０３、４０４）を同時に表示する。
【００３２】
以上のように本実施の形態に係る撮像装置では、表示部１１７に動画像記録している動画像を表示しながら、静止画像としてキャプチャした被写体の位置を特定できるように表示を行う。これにより、例えば、被写体が重なっているか否か、画角中央に位置しているか等の静止画像としてキャプチャした静止画像の記録状態を動画像記録中に認識でき、意図した静止画像をキャプチャできたか否かの判断を可能とする。
【００３３】
＜第３の実施の形態＞
次に、本発明の第３の実施の形態について説明する。図５は、本実施の形態に係る画像の表示処理を説明する図である。なお、当該撮像装置に構成は、第１の実施の形態で説明した構成と同様であるため説明は割愛する。
【００３４】
撮影者は、図５（ａ）の動画像を見て、静止画像として記録したいタイミングを計り、静止画トリガ操作を行う。図５（ａ）において５０１、５０２は被写体検出枠であり、被写体検出部１１３により、フレーム毎に検出された撮影している被写体に対する被写体検出枠である。本実施の形態においても第１の実施の形態と同様に、被写体検出枠５０１、５０２の座標（本実施形態では、被写体の顔部）を評価値比較部１１４にて比較し、該座標の差分値（移動量）が閾値Ｔｈより小さい場合、被写体の動きが小さいと判断する。そして、被写体の動きが小さいと判断した場合は、静止画トリガ操作を行った場合に、図５（ｃ）に示すように静止画像としてキャプチャした画像をフリーズ画として、表示部１１７に表示する。また、座標の差分値（移動量）が閾値Ｔｈよりも大きい場合は、被写体の動きが大きいと判断し、静止画トリガ操作を行った場合でも、図５（ｂ）に示すように継続して、動画像記録している動画像を表示部１１７に表示し続ける。
【００３５】
フリーズ画像を表示部１１７に表示している間も動画像記録は図５（ｂ）に示すように継続して行われている。ここで本実施の形態では、フリーズ画像表示中に、図５（ｃ）に示すようにフリーズ画像において、動画像記録している被写体（本実施形態では、被写体の顔）に対する被写体検出枠（点線枠５０３、５０４）を同時に表示する。
【００３６】
以上のように本実施の形態に係る撮像装置では、表示部１１７に静止画像として記録するフリーズ画像を表示しながら、記録している動画像における被写体の位置を特定できるように表示を行う。これにより、意図した静止画像か否かを表示部１１７に表示されているフリーズ画像を確認しつつ、動画像記録している被写体に対する被写体検出枠を表示させることにより、被写体の動きも同時に確認できる。そして撮影者は被写体検出枠を表示部１１７の画角から出ないようにアングルを調整することで、フリーズ画像の表示から本来メインに撮影している動画像撮影中の被写体に切り替えた場合でも動画像撮影中の被写体を画角の外に移動させてしまうことを回避できる。
【００３７】
＜第４の実施の形態＞
次に、本発明の第４の実施の形態について説明する。図６は、本実施の形態に係る画像の表示処理を説明する図である。なお、当該撮像装置に構成は、第１の実施の形態で説明した構成と同様であるため説明は割愛する。
【００３８】
図６（ａ）において、６０１、６０２は被写体検出枠であり、被写体検出部１１３により、フレーム毎に検出された撮影している被写体（本実施の形態では、被写体の顔部）に対する被写体検出枠である。本実施の形態では、撮影者が動画像記録中に静止画トリガ操作を行ったときに、被写体検出枠６０１、６０２に示される被写体検出部１１３によりフレーム毎に検出された撮影している被写体の被写体検出枠の座標に基づき、被写体の位置を判別する。詳しくは評価値比較部１１４が画角における被写体の位置を判別し、該判別結果から被写体が撮影画角の端部側の所定の領域に存在すると判別した場合、表示部１１７に図６（ｂ）のように継続して動画像を表示させる。また、評価値比較部１１４が被写体が撮影画角の端部側の所定の領域外（中央より等）に存在すると判別した場合は、静止画像として記録するフリーズ画像を表示する。更に、動画像の表示を継続した場合には、静止画像としてキャプチャしたタイミングにおける被写体検出枠（図中、点線枠６０３、６０４）を重畳して表示させる。なお、ここで説明した撮影画角の端部側の所定の領域は、任意に設定できるものである。
【００３９】
以上のように本実施の形態に係る撮像装置では、撮影している画像における被写体検出部１１３により検出された被写体の位置に応じて、適応的に動画像を表示するか記録する静止画像に対応するフリーズ画像を表示するかを切り替える。これにより、動画像と静止画像の記録状態の確認を撮影中に両立させている。このような構成においては、撮影者は、記録中の動画像或いは記録する静止画像を意識を撮影に集中しつつ十分に確認できる。つまり、意図した静止画像が撮影できているか否かを動画像の記録中に簡易に判断でき、被写体位置が端部側である場合は動画像撮影している被写体の動きを把握できるため動画像における被写体を見逃す機会も減殺できる。動画像撮影において画角の端部側に被写体が位置する際は、被写体を捉えづらい場合があるため、本実施の形態に係る構成は、このような場合に特に有効である。
【００４０】
＜第５の実施の形態＞
次に本発明の第５の実施の形態について説明する。なお、当該撮像装置に構成は、第１の実施の形態で説明した構成と同様であるため説明は割愛する。
【００４１】
本実施の形態では、被写体検出部１１３によりフレーム毎に検出された撮影している被写体の検出結果（本実施形態では、一例として被写体の顔検出）に応じて、表示部１１７に表示する画像を適応的に切り替える。具体的には本実施の形態では、撮影している被写体において、被写体検出部１１３にてフレーム毎に検出された撮影画角中の被写体検出の信頼度を評価値比較部１１４にて比較し、該信頼度が閾値Ｔｈより大きい場合、確実に被写体の顔を検出できたと判断する。そして、実際に静止画像としてキャプチャされた画像を、フリーズ画像として表示部１１７に表示せず、継続して、記録中の動画像を表示部１１７に表示し続ける。なお、被写体検出部１１３にてフレーム毎に検出された撮影画角中における被写体検出結果の信頼度を評価値比較部１１４にて比較する場合の比較値は、システム制御部１１８から設定してもよい。また、信頼度は人物の「確からしさ」を示す値で、顔についてのパターンマッチング等で評価する値であり、信頼度が高いほど、被写体検出結果として確実に「人物」として検出できたことを示す。
【００４２】
以上のように本発明の第５の実施の形態に係る撮像装置では、撮影している画像における被写体検出部１１３により検出される被写体の信頼度に応じて、適応的に動画像を表示するか記録する静止画像に対応するフリーズ画像を表示するかを切り替える。これにより、動画像と静止画像の記録状態の確認を撮影中に両立させている。実際に静止画像をキャプチャするタイミングにおいて、被写体検出部１１３の検出結果の信頼度が高い場合は、確実に被写体を捉えており、撮影者の意図した画像が静止画像としてキャプチャできている可能性が高い。そのため、本実施の形態では、静止画像としてキャプチャした画像をフリーズ画像として表示部１１７に表示せず、継続して、動画像撮影している動画像を表示部１１７に表示し続ける。
【００４３】
なお、記録中の動画像を表示部１１７に表示している間、第２の実施の形態のようにキャプチャした静止画像における被写体の被写体検出枠を重畳して表示させてもよい。また、実際に静止画像をキャプチャするタイミングにおいて、被写体検出部１１３の検出結果の信頼度が低い場合は、例えば被写体の前に障害物が存在する等、被写体を確実に捉えることができていない場合が多い。このような場合は、静止画像としてキャプチャした画像をフリーズ画像として表示部１１７に表示して、撮影者に静止画像としてキャプチャした画像の確認を促すようにする。この場合においても、フリーズ画像として表示部１１７に表示している間、動画像における被写体の被写体検出枠を重畳して表示させてもよい。
【００４４】
以上で、本発明の第１〜５の実施の形態を説明した。なお、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。この場合、記憶媒体から読み出されたプログラムコード自体が上述した実施形態の機能を実現することになり、プログラムコード自体及びそのプログラムコードを記憶した記憶媒体は本発明を構成することになる。プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。また、そのプログラムコードの指示に基づき、コンピュータ上で稼動しているＯＳ（基本システム或いはオペレーティングシステム）等が実際の処理の一部又は全部を行う場合も含まれることは言うまでもない。さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【符号の説明】
【００４５】
１０２  固体撮像素子、１０８  動画符号化部、１０９  記録信号処理部、１１０  記録媒体、１１１  メモリ、１１２被写体検出リサイズ処理部、１１３  被写体検出部、１１４  評価値比較部、１１５  静止画符号化部、１１６  静止画記録部、１１７  表示部。
【図１】
2010258531.tif 000003
【図２】
2010258531.tif 000004
【図３】
2010258531.tif 000005
【図４】
2010258531.tif 000006
【図５】
2010258531.tif 000007
【図６】
2010258531.tif 000008